(57)【要約】【課題】  テーブルその他台上に設置して、装飾の一部として機能する遺骨収容体及びこの遺骨収容体を収納するための遺骨収納具を提供する。【解決手段】  第一に、遺骨を収容するための遺骨収容体であり、略球形状の本体に遺骨収容凹部を形成し、この遺骨収容凹部を閉塞し得る蓋体を被せ付けること、表面に光沢を施したこと、を特徴とするものである。  第二に、第一で述べた遺骨収容体を飾るための遺骨収納具であり、二枚貝形状からなり、二枚貝の貝殻の表面全体にわたって樹脂材を被覆して樹脂層を形成し、前記樹脂層の表面に装飾体を取り付けること、を特徴とするものである。【選択図】図２
2017023438.tif 000002
【特許請求の範囲】
【請求項１】
二枚貝からなる遺骨収納具であって、前記二枚貝の貝殻の表面全体にわたって樹脂材を被覆して樹脂層を形成し、前記樹脂層の表面に多数の凸状体を樹脂層の表面に取り付けること、を特徴とする遺骨収納具。
【請求項２】
二枚貝の一方の貝殻の外周面側に脚部を設けるとともに、前記二枚貝の貝殻の周縁部を樹脂で互いに接着して二枚貝の口が開いた状態としたこと、を特徴とする請求項2記載の遺骨収納具。
【請求項３】
凸状体が透光性を有することを特徴とする請求項1又は2のいずれか一項に記載の遺骨収納具。
【請求項４】
請求項１ないし３のいずれか一項に記載の遺骨収納具に収納される略球形状の遺骨収容体であって、前記略球形状の本体に遺骨収容凹部を形成し、前記遺骨収容凹部の開口部分に前記遺骨収容凹部を閉塞するために、凸状体を取り付けた蓋体を被せ、前記略球形状の本体の表面に光沢を施したこと、を特徴とする遺骨収容体。
【請求項５】
遺骨収容凹部の開孔部の直径と遺骨収容凹部の深さとが略球形状の遺骨収容体の半径よりも大きいことを特徴とする請求項4記載の遺骨収容体。
【発明の詳細な説明】
【技術分野】
【０００１】
本発明は、装飾された遺骨収容体及びこの遺骨収容体を収納するための遺骨収納具に関する。
【背景技術】
【０００２】
現代における家族形態は、核家族化や少子高齢化の傾向が顕著であるために、夫婦と子供のみの世帯や、夫婦のみの世帯で構成されている場合が多い。このような家族形態において、家族等が死亡した場合、故人の遺骨を埋葬する墓地の取得費用や維持管理の手間が遺族に対して大きく掛かってしまう恐れがある。したがって、その故人の葬儀の際に墓地等へ納骨せずに骨壷を自宅等の身近な場所で保管したいと考える人が増えつつある。
【０００３】
このような世相から、より身近に置くための工夫として骨壷やそれを収納する納骨箱に装飾を施されたものが提案されている（例えば、特許文献１及び特許文献２を参照）。しかしながら、上述したような家族形態の住居には仏壇や神棚などを所有しない場合も少なくなく、骨壷などを保管する適切な場所がないために、物置等へ収納されて、紛失や破損などの恐れが生じてしまう。したがって、常に身近にあるテーブル等の家具に設置して装飾の一部となり、かつ、装飾品として優れ、さらに、故人の尊厳に敬意を払うことができる遺骨収納具が必要とされる。
【先行技術文献】
【特許文献】
【０００４】
【特許文献１】実用新案登録第３０９４６９２号公報
【特許文献２】特開２０１４−１６１６２８号公報
【発明の概要】
【発明が解決しようとする課題】
【０００５】
これらの欠点を解消するべく、本発明では、二枚貝からなる遺骨収納具、及び、この遺骨収納具に収納される略球形状の遺骨収容体を提供する。
【課題を解決するための手段】
【０００６】
本発明は、上記課題に鑑み、二枚貝からなる遺骨収納具であって、前記二枚貝の貝殻の表面全体にわたって樹脂材を被覆して樹脂層を形成し、前記樹脂層の表面に多数の凸状体を取り付けること、を特徴とする遺骨収納具である。
【０００７】
さらに、上述した遺骨収納具の構成に加え、二枚貝の一方の貝殻の外周面側に脚部を設けるとともに、前記二枚貝の貝殻の周縁部を樹脂で互いに接着して二枚貝の口が開いた状態としたこと、を特徴とする遺骨収納具であることが好ましい。
【０００８】
さらに、本発明は、上述した遺骨収納具の構成に加え、凸状体が透光性を有すること、を特徴とする遺骨収納具であることが好ましい。
【０００９】
また、本発明は、上述した遺骨収納具に収納される略球形状の遺骨収容体であって、前記略球形状の本体に遺骨収容凹部を形成し、前記遺骨収容凹部の開口部分に前記遺骨収容凹部を閉塞するために、装飾を施した蓋体を被せ、前記略球形状の本体の表面に光沢を施したこと、を特徴とする遺骨収容体である。
【００１０】
さらに、上述した遺骨収容体の構成に加え、遺骨収容凹部の開孔部の直径と遺骨収容凹部の深さとが略球形状の遺骨収容体の半径よりも大きいこと、を特徴とする遺骨収容体であることが好ましい。
【発明の効果】
【００１１】
請求項１記載の発明によれば、二枚貝の貝殻の表面全体を樹脂材で被覆することで、貝殻の強度が向上するとともに二枚貝の形態を保ったまま貝殻表面へ凸状体を取り付けしやすくすることが可能である。
【００１２】
また、二枚貝の貝殻を用いて二枚貝形状の遺骨収納具を形成することで、通念上の二枚貝の様態を表現することができ、それによって美術品としての価値を付加することができ、かつ、身近な装飾品として飾っておくことが可能である。
【００１３】
請求項２記載の発明によれば、テーブルその他の台上に安定して設置することが可能である。また、樹脂層を有する二枚貝が口を開いた状態に保たれるため、その中に収納した遺骨収容体を目視することができ、冥福を祈りつつ故人の存在を感じさせることが可能である。
【００１４】
請求項３記載の発明によれば、透光性を有する多数の凸状体に光が当たって様々な角度へと散乱・反射して色合いを変化させることができるので、装飾効果をより高めることが可能である。
【００１５】
請求項４記載の発明によれば、表面に光沢を施した略球形状の遺骨収容体であって、その構成から、従来の壺のようなものではなく、あたかも真珠のような観念を想起させることができ、装飾品として飾って置くことが可能である。
【００１６】
請求項５記載の発明によれば、開孔部分を正面からみたときに本体よりも遺骨収容凹部の開孔部が大きくなるように構成するため、遺骨を収容しやすくすることが可能である。
【図面の簡単な説明】
【００１７】
【図１】本発明の実施形態１における遺骨収容体の一例を示す分解斜視図である。
【図２】図１に示す遺骨収容体を収納した本発明の実施形態１における遺骨収納具の一例を示す斜視図である。
【図３】図２を正面側から見た状態を示す。
【図４】図２に示す遺骨収納具の背面図である。
【図５】図２に示す遺骨収納具の底面図である。
【図６】本発明の実施形態１における遺骨収納具を示す正面図中央縦断部端面図である。
【図７】本発明の実施形態２における遺骨収納具を正面側から見た状態を示す。
【発明を実施するための形態】
【００１８】
（実施形態１）
本発明の実施形態１について、図１ないし図６に基づいて詳細に説明する。本発明の遺骨収容体１及び遺骨収納具２は、遺骨を収容及び収納して装飾の一部としてテーブルその他台上に設置する。
【００１９】
遺骨収容体１は、図１に示すように、略球形状の本体１ａに遺骨収容凹部１ｂを形成し、この遺骨収容凹部１ｂの開孔部にこの遺骨収容凹部１ｂを閉塞するために蓋体１ｃを被せ付けること、から構成されるものであり、本体１ａと蓋体１ｃとの表面に光沢を施したことを特徴とするものである。
【００２０】
この構成によって、遺骨収容体１は、表面に光沢を有する略球形状に形成されたものであり、従来の壺のようなものではなく、その形状と表面の光沢からあたかも真珠のような宝石類と同様の観念を想起させることができ、装飾品として飾ることが可能である。
【００２１】
具体的には、図１に示すように、略球状の遺骨収容体１は、直径Dが１３ｍｍからなる球状体であり、その一部を切り欠いて遺骨収容凹部１ｂとする。遺骨収容凹部１ｂは、その開口部分の直径dが７ｍｍからなる円形状であり、開口部分を正面からみたとき、遺骨収容凹部１ｂの開口部が本体１ａよりも大きくなる。このような大きな開口部を有することで、遺骨を収容しやすくすることができる。
【００２２】
また、遺骨収容凹部１ｂの深さhは７ｍｍであり、その形状は真円状の窪みである。つまり、遺骨収容凹部１ｂの深さｈは、本体１ａの中心部に達する程度である。これにより、遺骨収容体１の中心部分に遺骨が収容される。
【００２３】
遺骨収容体１の素材は、本実施形態においてはアルミニウム合金を用いる。ただし、アルミニウム合金に限定されず、真珠を用いるなど、その他の材質であってもよい。球形状のアルミニウム合金に、ドリル等を用いて所定の円筒状の凹部を形成し、遺骨収容凹部１ｂが形成される。この遺骨収容体１aに光沢のあるフィルムを貼り付けることにより、疑似真珠状の形態とする。
【００２４】
蓋体１ｃを、遺骨収容凹部１ｂの開孔部に被せることにより、遺骨収容凹部１ｂを遮蔽、閉塞することができる。蓋体１ｃは、遮蔽したときに遺骨収容体１が完全な球体となるような形態のものでもよいが、本実施形態においては凸状体１ｄを用いる。この凸状体１ｄは、スワロフスキー（登録商標）と呼ばれるガラスに特殊な加工を施したクリスタルガラスを用いる。特に、蓋体１ｃに用いる凸状体５は、遺骨収容凹部１ｂの開口部分が直径７ｍｍあることから、比較的大きいクリスタルガラスを用い、その下部が遺骨収容凹部１ｂの開口部分に嵌まり込むように被せることができる。このように、蓋体１ｃを凸状体５とすることで、蓋を判別し易く、凸状体を戴置した遺骨収納具２に安定的な戴置が可能になる。
【００２５】
次に、遺骨収納具２の構成と、その製造方法の一例について図２ないし図６に基づいて説明する。遺骨収納具２とは、遺骨収容体１を収納するものである。
【００２６】
まず、遺骨収納具２は、二枚貝からなる貝殻７、７の外周面と、両貝殻７、７の頂部（殻頂部４、４）と、をヤスリで磨くことで樹脂材との接着性を高める。そして、二枚貝からなる貝殻７、７の表面全体にわたって樹脂材を被覆して樹脂層６を形成する（図６参照）。この樹脂材は、主にエポキシ樹脂などが使用され、通常では粘着性のある液体であって、硬化材を塗布又は熱することによって硬化するものである。この性質を利用して、貝殻７、７を補強し、かつ、多数の凸状体５、５を貝殻７、７の表面全体に接着固定することができる。
【００２７】
また、二枚貝からなる貝殻７、７の内周面において、所定の厚みの樹脂層６を形成して両貝殻７、７の凹部分の一部を平らにすることで、凸状体５、５を遺骨収容体１に安定して載置することが可能である。
【００２８】
また、両貝殻７、７の周縁部の一部（例えば、殻頂部４、４）同士を所定の角度で樹脂材を用いて二枚貝が口を開いた状態で接着固定し、両貝殻７、７の内周面側を視認できるようにする（図２又は図３参照）。これによって、二枚貝の内部へ収納された遺骨収容体１を常時視認することができ、遺骨収納具２と遺骨収容体１を一体とした二枚貝の内部にあたかも真珠が内包されているという観念を想起させることができるので、装飾としての相乗効果を高めることができる。
【００２９】
二枚貝の一方の貝殻の外周面側には、図５に示すように、脚部３として三点設けられている。これは貝殻７が外突弧形状であるために、テーブルその他台上に安定して遺骨収納具２を設置できるようにするためのものである。
【００３０】
樹脂層６の表面に施される装飾は、多数の凸状体５、５で構成されている（例えば図２参照）。この凸状体５はガラスを主体として形成され、透光性を有しており、光を屈折・反射させることによって輝度を変化させることができ、遺骨収納具２の装飾効果をより高めることが可能である。また、この遺骨収納具２の凸状体５、５に遺骨収容体１を載せるのであるが、凸状体５、５が連続しているため、略球形状の遺骨収容体１が転がらずに安定して戴置することが可能になる。
【００３１】
（実施形態２）
次に、遺骨収納具２の実施形態２について図７に基づいて説明する。
この遺骨収納具２は、実施形態１における遺骨収納具２の装飾のみを変更したものである。
【００３２】
この装飾は樹脂層６の表面を金箔８で被覆して、さらにその表面に天女等の絵柄９を貼り付け、あるいは、凸状体５を用いて模様を形成するものである。このように、貝殻７の表面全体にわたって樹脂層６を形成し、その樹脂層６の表面に取り付ける装飾を故人や遺族の要望で決定することができ、多種多様な絵柄を有する遺骨収納具２を提供することができる。
【００３３】
なお、本発明は身近において置くことができることから、故人の遺骨のみならず飼い犬や飼猫などの愛玩動物の遺骨を収容する遺骨収容体及びそれを収納する遺骨収納具としても利用することが可能である。
【符号の説明】
【００３４】
１…遺骨収容体、１a…本体、１b…遺骨収容凹部、１c…蓋体、１ｄ…凸状体、D…遺骨収容体の直径、d…遺骨収容凹部の直径、h…遺骨収容凹部の深さ、２…遺骨収納具、３…脚部、４…殻頂部、５…凸状体、６…樹脂層、７…貝殻、８…金箔、９…絵柄
【図１】
2017023438.tif 000003
【図６】
2017023438.tif 000004
【図２】
2017023438.tif 000005
【図３】
2017023438.tif 000006
【図４】
2017023438.tif 000007
【図５】
2017023438.tif 000008
【図７】
2017023438.tif 000009